(57)【特許請求の範囲】
【請求項１】
空調室の天井に埋設され内部に送風ファンと同送風ファンを囲む熱交換器を備えた箱型の本体ユニットと、同本体ユニットの下面に取り付けて前記天井を覆う四角形の化粧パネルを有する天井埋込型空気調和機において、
前記化粧パネルは、枠状の外枠部と、同外枠部より内側に配置される枠状の内枠部と、前記外枠部と前記内枠部を角部で繋ぐ接続部で形成され、前記外枠部と前記内枠部の間が吹出用通路となり、同吹出用通路内で隣り合う前記接続部の間の開口が吹出口となり、前記化粧パネルの四角形の各辺に沿って前記吹出口の長辺よりも長い風向板で前記吹出用通路を覆い、前記風向板は、前記吹出口に対向する風向部と、前記風向部の端で前記吹出用通路に対向する補助風向部を有し、前記風向板が回動して前記風向板の前記内枠部側が前記吹出用通路内に移動した時に、前記風向板の前記補助風向部と前記接続部とで角隅吹出部を形成し、前記風向板は軸部を備え、前記接続部には板状の軸受用支柱が立設し、前記軸受用支柱は先端に前記軸部を軸支する軸孔を備えるとともに前記軸孔と前記接続部の間に通気孔を設けることを特徴とする天井埋込型空気調和機。
【発明の詳細な説明】
【技術分野】
【０００１】
本発明は、天井内に本体ユニットが埋設された天井埋込型空気調和機に関し、さらに詳しく言えば風向板を軸支する軸受部の構造に関するものである。
【背景技術】
【０００２】
天井埋込型空気調和機は、内部に熱交換器および送風ファン（ターボファン）を含む箱型の本体ユニットを天井内に埋設し、本体ユニットの底面に取り付けられた化粧パネルの吸込グリルから吸い込んだ空気を熱交換器で冷媒と熱交換して、吹出口から風向板で風向を調節して室内に送出する空気調和機で、オフィスや店舗等の比較的広い室内に用いられている。
【０００３】
従来例の天井埋込型空気調和機は、吹出口が開口された化粧パネル（空気調和機本体）の吹出口側の壁面に設けた支持穴に風向板の可動軸を取り付けて風向板を支持し、風向板を上下に回動することで、一方向に空気を吹き出していた。（特許文献１参照）
【先行技術文献】
【特許文献】
【０００４】
【特許文献１】特開２００３−２４０２５８号公報
【発明の概要】
【発明が解決しようとする課題】
【０００５】
従来例では吹出口の開口に沿って一方向に空気が吹き出されるが、化粧パネルの角部方向へ向かっては吹き出されないことで空調室内の室温が不均一となっていた。
【０００６】
また、支持穴を設けた化粧パネルの壁面では、空気の流れる吹出口側の壁面とその裏面に当たる本体側の壁面で温度差があり結露が発生するため、吹出口側の壁面に断熱部材を設ける必要があった。
【０００７】
本発明は以上述べた問題点を解決し、全方位へ吹出空気を送風することが可能となり、かつ、風向板を軸支する壁面に温度差を発生させない天井埋込型空気調和機を提供することを目的とする。
【課題を解決するための手段】
【０００８】
上述した課題を解決するために本発明は、空調室の天井に埋設され内部に送風ファンと同送風ファンを囲む熱交換器を備えた箱型の本体ユニットと、同本体ユニットの下面に取り付けて前記天井を覆う四角形の化粧パネルを有する天井埋込型空気調和機において、
前記化粧パネルは、枠状の外枠部と、同外枠部より内側に配置される枠状の内枠部と、前記外枠部と前記内枠部を角部で繋ぐ接続部で形成され、前記外枠部と前記内枠部の間が吹出用通路となり、同吹出用通路内で隣り合う前記接続部の間の開口が吹出口となり、前記化粧パネルの四角形の各辺に沿って前記吹出口の長辺よりも長い風向板で前記吹出用通路を覆い、前記風向板は、前記吹出口に対向する風向部と、前記風向部の端で前記吹出用通路に対向する補助風向部を有し、前記風向板が回動して前記風向板の前記内枠部側が前記吹出用通路内に移動した時に、前記風向板の前記補助風向部と前記接続部とで角隅吹出部を形成し、前記風向板は軸部を備え、前記接続部には板状の軸受用支柱が立設し、前記軸受用支柱は先端に前記軸部を軸支する軸孔を備えるとともに前記軸孔と前記接続部の間に通気孔を設けることを特徴とする。
【発明の効果】
【０００９】
上記のように構成した本発明の天井埋込空気調和機は、化粧パネルに吹出口の長辺よりも長い風向板と吹出用通路を設けることで、全方位へ送風することが可能となる。また、化粧パネルの接続部には板状の軸受用支柱が立設し、軸受用支柱は先端に風向板の軸部を軸支する軸孔を備えるとともに軸孔と接続部の間に通気孔を設けることで軸受用支柱が通風の抵抗となることを軽減して多くの空気が吹き出される。さらに、軸受用支柱の両面に発生する結露防止することができ、軸受用支柱に断熱部材が不要となる。
【図面の簡単な説明】
【００１０】
【図１】天井埋込型空気調和機の運転停止時の外観図である。
【図２】天井埋込型空気調和機の断面図で、右側は運転時を示し、左側は運転停止時を示す。
【図３】天井埋込型空気調和機の分解図である。
【図４】天井埋込型空気調和機の運転停止時の正面図である。
【図５】天井埋込型空気調和機の化粧パネルの分解図である。
【図６】図２の運転停止時の拡大図である。
【図７】天井埋込型空気調和機の化粧パネルとモータとモータカバーの説明図である。
【図８】天井埋込型空気調和機の風向板の説明図で（ａ）は斜視図、（ｂ）は平面図、（ｃ）は正面図、（ｄ）は背面図、（ｅ）は拡大側面図、（ｆ）は拡大断面図である。
【図９】化粧パネルの角部を拡大した正面図である。
【図１０】モータカバーの斜視図である。
【図１１】図９のＥ−Ｅ断面図で軸受用支柱の説明図である。
【図１２】天井埋込型空気調和機の風向板の回動時の説明図である。
【図１３】吹出空気の流れる方向を示す説明図である。
【発明を実施するための形態】
【００１１】
以下、本発明を実施するための形態を、添付図面に基づいた実施例として詳細に説明するが、本発明はこれに限定されるものではない。
【００１２】
図１から図３に示す本発明による天井埋込型空気調和機１（以下、空気調和機１とする）は、空調室Ｋ内の天井Ｔに埋設される箱型の本体ユニット１０と、同本体ユニットの底面１０１に取り付ける四角形の化粧パネル３とを備える。
【００１３】
本体ユニット１０は、正方形の四辺を長辺とし、正方形の四つの角を面取りしてできた四辺を短辺とする略八角形となる板金で形成された天板１３と、天板１３の外周から下方に延在する側板１１とで外郭が形成される。側板１１は、天板１３の短辺に沿って位置する側板１１ａの４箇所に外側に向かって折れ曲がった吊下部１２１と固定部１２２を備えた取付金具１２が固着されている。本体ユニット１０は、この吊下部１２１を図示しない天井裏壁面に埋め込まれた複数の吊りボルトにて吊り下げることで天井Ｔに設置される。
【００１４】
尚、図２における本体ユニット１０において、天板１３方向を上面または上方、空調室Ｋ方向を下面または下方として以下説明する。各部品においても同様である。
【００１５】
本体ユニット１０の天板１３と側板１１の内周面には図２に示すように断熱部材１４が設けられる。また、天板１３の中央内側にはネジによりファンモータ２１が固定され、ファンモータ２１から下方に伸びるシャフト２２に送風ファン２３のハブ２３ａが軸支される。送風ファン２３はハブ２３ａとシュラウド２３ｂと複数のブレード２３ｃとからなる所謂ターボファンである。
【００１６】
本体ユニット１０の下部はドレンパン６０で覆われる。ドレンパン６０の中央部分は開口され吸込口１６となる。吸込口１６には吸込口１６と送風ファン２３とを繋ぐベルマウス２４が配置される。また、ベルマウス２４の吸込口１６側には、吸込口１６を通る空気Ｗの妨げにならないようにＬ字状に形成された電装品箱１８が配置される。電装品箱１８内には空気調和機１を制御する電装部品が収納される。
【００１７】
ファンモータ２１により回転駆動される送風ファン２３により、吸込口１６から空調室内の空気Ｗが本体ユニット１０内に吸い込まれる。本体ユニット１０内に吸い込まれた空気Ｗは、ベルマウス２４に沿って送風ファン２３に案内され、送風ファン２３の外方に向かって吹き出される。
【００１８】
送風ファン２３の周囲には、送風ファン２３を囲み断熱部材１４とドレンパン６０とで上下を挟まれた熱交換器２５が配設される。熱交換器２５の下部を受けるドレンパン６０は断熱部材６１とドレンシート６２でなる。熱交換器２５と対向する面に樹脂製のドレンシート６２が発泡樹脂の断熱部材６１と一体に成形され熱交換器２５で生成されるドレン水を受け止める。ドレン水は図示しないドレンポンプとドレンポンプに繋がったドレンパイプにより屋外へ排出される。
【００１９】
熱交換器２５は、図示しない冷房運転と暖房運転とが可能な可逆式の冷凍サイクル回路に接続されており、送風ファン２３から導かれた空気Ｗを冷房運転時には蒸発器として機能して冷却し、暖房運転時には凝縮器として機能して加熱する。
【００２０】
熱交換器２５と側板１１の内周面の断熱部材１４との間と、ドレンパン６０に設けられた本体ユニット１０の四辺それぞれに沿った４つの本体吹出口１５は、送風ファン２３から吹き出された空気Ｗを後述する化粧パネル３の吹出口３１へ案内する送風路１７となる。熱交換器２５で冷媒と熱交換された空気Ｗは送風路１７と本体吹出口１５を通り後述する吹出口３１から空調室内Ｋに吹き出される。
【００２１】
尚、本発明は後述する吹出用通路３２と風向板４により、本体ユニット１０と化粧パネル３の四隅に補助吹出口を設けなくても全方位へ吹き出すことができるものであり、本体吹出口１５内には空気Ｗをさらに四隅に導く整流板１９１、１９２が設けられている。図２と図３と図１３に示すように整流板１９１、１９２は本体吹出口１５の長手方向の外側に向かう曲面を備え本体吹出口１５内の２箇所に向かい合うように設けられている。整流板１９１は、後述する化粧パネル本体３０に立設する軸受用支柱３５１方向に空気を送るものであり、整流板１９２は化粧パネル本体３０に固定する後述するモータカバー４４方向に空気を送るものである。軸受用支柱３５１方向は空気の抵抗となるものが無いため、多くの風を軸受用支柱３５１方向に導くように整流板１９１はきつい円弧状に形成される。一方、モータカバー４４方向はモータカバー４４が空気の抵抗となることで、軸受用支柱３５１方向よりも風が流れにくい。そのため整流板１９２は、整流板１９１よりも緩やかな円弧状に形成され、モータカバー４４の下を通るように空気を導く。
【００２２】
前述したように本体ユニット１０の底面１０１には図４に示す四角形の枠状板体で本体ユニット１０の底面１０１と空気調和機１を天井面Ｔ１に取り付けた時に本体ユニット１０の底面１０１周囲の天井面Ｔ１を覆う化粧パネル３が装着される。
【００２３】
図３と図４に示すように化粧パネル３は、吹出口３１を備えた化粧パネル本体３０と、化粧パネル本体３０の中央に着脱自在に取り付けられる吸込グリル４０と、化粧パネル本体３０の角部３０ａを覆うコーナーパネル４１と、化粧パネル本体３０に軸支される４つの風向板５と、４つの風向板５をそれぞれ駆動するモータ４３と、モータ４３を化粧パネル本体３０に固定するモータ固定具を兼ねる４つのモータカバー４４と、吹出口３１の内周側を形成するパネル断熱部材４５と、吸込グリル４０を受け且つパネル断熱部材４５を化粧パネル本体３０に固定する固定具を兼ねる吸込グリル枠４６とで構成される。
【００２４】
図５に示すように化粧パネル本体３０は、四角形の枠状の外枠部３３と、外枠部３３より内側に配置され吸込グリル４０を収納する枠状の内枠部３４と、外枠部３３と内枠部３４とを化粧パネル本体３０の角部３０ａの本体ユニット１０側で繋ぐ接続部３５で形成される。外枠部３３と内枠部３４の間の溝３２ａが吹出用通路３２となり、吹出用通路３２内で隣り合う接続部３５の間に形成された開口が本体吹出口１５に合わせた吹出口３１となる。
また、吹出用通路３２の角部で接続部３５の下面側にできる空間が後述する角隅吹出部３６となる。
【００２５】
外枠部３３は、図５と図６と図７に示すように化粧パネル本体３０の四角形の４辺に当たり空調室Ｋに面した部分には吹出口３１側が空調室Ｋに突出し天井面Ｔ１側が天井面Ｔ１に近くなるように傾斜した化粧面３３１を有する。化粧面３３１を繋ぐ４つの角部３０ａには取付部３３２を有する。取付部３３２のネジ孔３３２ａと取付金具１２の固定部１２２を螺着することで化粧パネル３を本体ユニット１０に固定することができる。
【００２６】
外枠部３３で吹出用通路３２に面する外枠部３３の縁面３３３は、図７に示すように吹出口３１に接する部分は直線状に形成した第１直線部３３３ａとなり、接続部３５に繋がる部分は第１直線部３３３ａに対して４５度に傾けた第２直線部３３３ｂと、第１直線部３３３ａと第２直線部３３３ｂを緩やかな円弧で繋ぐ円弧部３３３ｃとでなる。
【００２７】
図６に示すように空調室Ｋ内に面した化粧面３３１および取付部３３２と、吹出用通路３２に面する縁面３３３は円弧状に形成された曲面３３４で繋がる。また、縁面３３３の中央には吹出口３１側に突出し下方に伸びたアームでなる軸受アーム３３７が設けられ、軸受アームの下端には風向板５の中央を軸支する軸受部３３５が設けられている。
【００２８】
化粧パネル本体３０の内枠部３４は、図５と図６に示すように吹出用通路３２側に立設する内壁部３４１と、内壁部３４１の内側で全周に設けられ、後述するモータ４３から引き出されたケーブル４３２を電装品箱１８に導くケーブル通路３４２とでなる。
【００２９】
図６に示すように吹出用通路３２の吸込グリル４０側にはパネル断熱部材４５が設けられる。パネル断熱部材４５は吹出用通路３２側に湾曲面４５３を設けたことで、吹出口３１から吹き出された空気Ｗを空調室Ｋに向かって導く吹出ガイドの役割をする。パネル断熱部材４５は図５に示すように長辺部４５４と短辺部４５５が角部４５２で直角に交わった所謂Ｌ字状のパネル断熱部材片４５ａが４つ組み合わされて形成される。
【００３０】
パネル断熱部材４５の角部４５２においても吹出用通路３２側に湾曲面４５３があることで、角隅吹出部３６に後述する補助吹出空気Ｗ１、Ｗ２、Ｗ３を導く吹出ガイドの役割をする。パネル断熱部材４５は、吸込グリル枠４６と化粧パネル本体３０の内枠部３４の内壁部３４１で挟まれて固定される。
【００３１】
吸込グリル枠４６は吸込グリル４０を枠状に囲んで吸込グリル４０と面一となる化粧面４６１と、化粧面４６１の内側に段差を設けて吸込グリル４０を受ける受け部４６２とを有し、受け部４６２が化粧パネル本体３０の内枠部３４のケーブル通路３４２にネジで固定されることでケーブル通路３４２の蓋の役割を担いケーブル４３２の落下を防ぐ。吸込グリル枠４６は四角形であり、吹出用通路３２側の角隅には後述する風向板５に沿ってテーパ面４６４を備える。
【００３２】
図１から図４に示すように吸込グリル枠４６の中には、吸込口１６に空気を取り入れるためドット状の複数の吸込孔４０１を備えた四角形の吸込グリル４０が着脱可能に取り付けられている。吸込グリル４０の背面（図２では上面）には、除塵用のフィルター４２が着脱可能に保持されている。
【００３３】
図３に示すように吸込グリル４０の周縁の一辺には回転軸４０２が３か所設けられる。また、吸込グリル４０の背面側には止め金具４０３が設けられる。図５に示すように化粧パネル本体３０の内枠部３４の内壁部３４１と吸込グリル枠４６の受け部４６２には吸込グリル４０の回転軸４０２を挟んで軸支する軸受部３４３、４６３がそれぞれ設けられる。また、止め金具４０３は化粧パネル本体３０の内枠部３４のケーブル通路３４２に設けた止め金具用孔３４５に係止される。これにより吸込グリル４０は回転軸４０２が軸受部３４３、４６３で回動し、回動した後に外すことができ、また逆の動作で取り付けるとともに、止め金具４０３が止め金具用孔３４５で係止されることで化粧パネル本体３０に固定される。
【００３４】
化粧パネル３を構成する部品が組み合わされると吹出用通路３２は、外周側が化粧パネル本体３０の外枠部３３の縁面３３３と曲面３３４で、内周側がパネル断熱部材４５で、溝３２ａの底面側が吹出口３１と接続部３５および後述するモータカバー４４とで構成される。
【００３５】
図４に示すように風向板５は化粧パネル３に吸込グリル４０を囲むように全周囲に設けられた吹出口３１を含む吹出用通路３２に合わせ、吹出用通路３２全体を覆うように設けられる。４つある風向板５は同形であり、隣り合う風向板５は接触しないように化粧パネル３の四角形の対角線Ｄに合わせ隙間を形成する。
【００３６】
風向板５は図４と図８（ｂ）に示すように吹出口３１に向かい合った部分を風向部５１とし、風向部５１の端で吹出用通路３２の角隅吹出部３６に向かい合った部分を補助風向部５２とする。また、風向板５の全周縁の中で、吸込グリル４０側に配置される第１辺部５４と、第１辺部５４に向かい合う外枠部３３側（外側）を第２辺部５５とし、第２辺部５５は吹出口３１に合わせた直線部５５１と直線部５５１の両端から第１辺部５４の端方向に傾斜する傾斜部５５３とでなる。
【００３７】
また、風向板５の第１辺部５４の端に第２辺部５５の傾斜部５５３と平行となる第３辺部５３を設け、隣接する風向板５側で傾斜部５５３の一端から傾斜部５５３に対して垂直に立ち上がり第３辺部５３に繋がる第４辺部５６を設ける。
【００３８】
尚、図８（ｂ）に示す運転停止時に化粧パネル３側に表れる面を表面５７、図８（ｆ）に示す表面５７の裏側を裏面５８として以下の説明をする。
【００３９】
図４と図８（ｂ）に示すように風向部５１は、吹出口３１に合わせ風向部５１における第１辺部５４と第２辺部５５は平行な直線となり、図８（ｆ）に示すように表面５７には外側に膨らむ緩やかな曲面を備える。
【００４０】
尚、上記で説明した風向板５の第１辺部５４と第３辺部５３は、図４に示す吸込グリル枠４６と合わせた形であり、第２辺部５５は、直線部５５１が図７に示す化粧パネル本体３０の外枠部３３の縁面３３３の第１直線部３３３ａと合わせ、傾斜部５５３は外枠部３３の縁面３３３の第２直線部３３３ｂと合わせ、直線部５５１と傾斜部５５３の間に外枠部３３の縁面３３３の円弧部３３３ｃと合わせた第２円弧部５５２を備える。
【００４１】
また、第４辺部５６の端で第１辺部５４もしくは第３辺部５３と第２辺部５５との接続部分は回動時に隣り合う風向板５と接触しないように角丸に形成される。
【００４２】
図８（ｂ）の正面図では補助風向部５２の先端は風向部５１に比べ細くなっているように見えるが、図８（ｅ）の側面図に示すように第１辺部５４と第２辺部５５は平行であり、補助風向部５２は風向部５１よりも垂直に近い角度を有する。
【００４３】
風向板５は、図８（ｃ）、（ｄ）に示す風向部５１の裏面５８に設けた軸部５１１と補助風向部５２の裏面５８に設けた軸部５２１、５２２で化粧パネル本体３０に軸支される。軸部５１１は前述した化粧パネル本体３０の外枠部３３から吹出口３１側に突出した軸受アーム３３７の軸受部３３５に軸支され、軸部５２１は化粧パネル本体３０の接続部３５に立設する軸受用支柱３５１、軸部５２２はモータカバーに収納されたモータ４３にそれぞれ軸支される。３か所で軸支されることで安定して回動される。
【００４４】
図５と図７に示すように化粧パネル本体３０の接続部３５の下（図７では上方）の角隅吹出部３６には、４つの風向板５をそれぞれ回動するモータ４３が配設される。モータ４３は化粧パネル本体３０に固定するモータ固定具を兼ねるモータカバー４４内に収納され、モータカバー４４と一体となって接続部３５に固定される。
【００４５】
接続部３５には、一方の吹出口３１側に軸受用支柱３５１を備え、他方の吹出口３１側には接続部３５の半面を占める一段落ち込んだ凹部が形成される。この凹部がモータカバー４４を取り付けるモータカバー取付部３５２となる。
【００４６】
モータカバー取付部３５２に取り付けるモータカバー４４は、図７と図９と図１０に示すように、モータカバー取付部３５２と当接する底部通路４４１と、外枠部３３の縁面３３３に当接するモータ４３を収納するモータ収納部４４２と、モータ収納部４４２から縁面３３３側に突出して設けた係止部４４７と、内枠部３４の内壁部３４１に当接する壁面４４４と、壁面４４４よりモータ収納部４４２側で壁面４４４との間にパネル断熱部材４５の一部を収納するリブ４４８と、壁面４４４から内枠部３４のケーブル通路３４２に重なるように設けたフランジ４４９にネジ孔４４９ａを備える。
【００４７】
底部通路４４１においてモータ収納部４４２の基端部４４１ａが一段高くなっており、ここにモータ収納部４４２に収納されたモータ４３のケーブル４３２を通しネジ孔４４９ａの近傍からケーブル通路３４２に引き出すようになっている。
【００４８】
ケーブル４３２を通したモータカバー４４は、係止部４４７を化粧パネル本体３０の外枠部３３に設けた係止孔３３６に係止して、さらに内枠部３４のケーブル通路３４２に設けたボス３４２ａにフランジ４４９のネジ孔４４９ａを螺着することで化粧パネル本体３０に固定される。
【００４９】
これによりモータ４３が吹出用通路３２内に取り付けられ、さらに化粧パネルの表面から取り付け、取り外しが可能となることで、例えばモータ４３のメンテナンス時に化粧パネル３を本体ユニット１０から外す必要がなく作業性が改善される。
【００５０】
モータ収納部４４２は基端部４４１ａ側と化粧パネル３の対角線Ｄ側から吹出口３１側が空調室Ｋに向かい突出する山型である。
【００５１】
モータ収納部４４２は吹出口３１側にモータ４３の軸受部４３１を囲む軸受面４４６を備え、軸受面４４６は、モータ収納部４４２の山型の頂部から吹出口３１側に向かって下方に傾斜する面となる。
【００５２】
モータカバー４４は、軸受面４４６を傾斜面とすることで、図１２に示すように角隅吹出部３６に吹き出された空気Ｗ２の流れを遮ることを軽減することができる。
【００５３】
図１１に示すように接続部３５のもう一方の吹出口３１側に板状の軸受用支柱３５１が立設し、軸受用支柱３５１は先端に風向板５の軸部５２１を軸支する軸孔３５１ａを備え、さらに軸孔３５１ａと接続部３５の間に空洞となる通気孔３５１ｂを設ける。
【００５４】
軸受用支柱３５１に通気孔３５１ｂを設けることで、図１２に示すように角隅吹出部３６に向かう空気Ｗ１は通気孔３５１ｂを通ることで軸受用支柱３５１が抵抗となることを軽減して、多くの空気Ｗ１を導くことができる。また、軸受用支柱３５１に通気孔３５１ｂを設けることで、軸受用支柱３５１の吹出口３１側と角隅吹出部３６側とのそれぞれの面の間に温度差による結露の発生を防止することができ、軸受用支柱３５１に断熱材を貼付する必要がなくなる。
【００５５】
次にそれぞれの部品を組み合わせた化粧パネル本体３０と風向板５の回動による効果を説明する。まず空気調和機１の運転停止時は、図１と図４に示すように隣り合う４枚の風向板５で吸込グリルの周囲を囲む吹出用通路３２全体を覆うことにより、風向板５が化粧パネルおよび吸込グリルと平行な線に視認され、意匠に統一感が生まれ意匠性が向上する。
【００５６】
次に空気調和機１が運転を開始すると、図１２に示すようにモータ４３の軸受部４３１に軸支された風向板５の軸部５２２が回転する。これにより軸受部３３５に軸支された軸部５１１および軸受用支柱３５１に軸支された軸部５２１も回転する。回転に合わせて風向板５の第１辺部５４側が吹出用通路３２に向かって回動する。風向板５は最大で約６０度まで回動する。
【００５７】
風向板５が回動すると、吸込グリル４０側の第１辺部５４が吹出用通路３２内に移動し、第３辺部５３と第４辺部５６が角隅吹出部３６まで潜り込む。化粧パネル本体３０から突出するのは風向板５の第２辺部５５の中で直線部５５１と第２円弧部５５２だけである。よって風向板５の端部が飛び出して見えることがなく、運転時でも風向板５を目立たせずに美観に優れた意匠となる。
【００５８】
送風ファン２３から吹き出された空気は、吹出口３１を通り風向板５の風向部５１に導かれて空気Ｗとして空調室Ｋへ勢いよく吹き出される。
【００５９】
一方、吹き出される空気Ｗの一部は図１３を合わせて参照して、整流板１９１、１９２によって吹出口３１の長手方向にも吹き出される。整流板１９１、１９２によって導かれた空気Ｗ１、Ｗ２は、風向板５の補助風向部５２に沿って吹出用通路３２の角部の角隅吹出部３６まで導かれる。
【００６０】
整流板１９１によって軸受用支柱３５１方向に導かれた空気Ｗ１は、空気の抵抗となるものが無いため、多くの風が流れる。空気Ｗ１は軸受用支柱３５１の通気孔３５１ｂを通り抜け角隅吹出部３６に至る。一方、整流板１９２によって導かれた空気Ｗ２は、モータカバー４４が空気の抵抗となることで、軸受用支柱３５１方向よりも風が流れにくい。そこでモータカバー４４の軸受面４４６を傾斜面とすることで、空気Ｗ２の流れを遮ることを軽減して角隅吹出部３６に導く。
【００６１】
空気Ｗ１と空気Ｗ２は角隅吹出部３６で合流する。空気Ｗ１と空気Ｗ２では空気Ｗ１の方が多くの風が流れてきているため空気Ｗ１の方が勢いのある風となる。よって、空気Ｗ１の吹き出し方向に空気Ｗ２は引っ張られる。図１３に示すように、吹出口３１から吹き出された空気Ｗとともに空気Ｗ１と空気Ｗ２が合流して空気Ｗ３となった風が化粧パネル３の対角線Ｄよりも空気Ｗ１の吹き出し方向に傾いて吹き出される。空気Ｗ３は化粧パネル３の四辺に沿ってそれぞれ吹き出されることで空気Ｗとは異なる４方向に吹き出される。結果、全方位へ送風することが可能となり広い室内を効率的に空調する天井埋込型空気調和機１となる。
【符号の説明】
【００６２】
１：天井埋込型空気調和機（空気調和機）、１０：本体ユニット、１５：本体吹出口、１６：吸込口、１８：電装品箱、１９１・１９２：整流板
２３：送風ファン、２５：熱交換器
３：化粧パネル、３０：化粧パネル本体、３１：吹出口、３２：吹出用通路、３３：外枠部、３４：内枠部、３５：接続部、３５１：軸受用支柱、３５１ｂ：通気孔、３６：角隅吹出部
４０：吸込グリル、４３：モータ、４３１：軸受部、４４：モータカバー、４４２：モータ収納部、４４６：軸受面、４５：パネル断熱部材、４６：吸込グリル枠
５：風向板、５１：風向部、５１１：軸部、５２：補助風向部、５２１・５２２：軸部
Ｄ：対角線、Ｋ：空調室、Ｔ天井、Ｗ・Ｗ１・Ｗ２・Ｗ３：空気
【図１】
0006451445.tif 000002
【図２】
0006451445.tif 000003
【図３】
0006451445.tif 000004
【図４】
0006451445.tif 000005
【図５】
0006451445.tif 000006
【図６】
0006451445.tif 000007
【図７】
0006451445.tif 000008
【図８】
0006451445.tif 000009
【図９】
0006451445.tif 000010
【図１０】
0006451445.tif 000011
【図１１】
0006451445.tif 000012
【図１２】
0006451445.tif 000013
【図１３】
0006451445.tif 000014